(57)【特許請求の範囲】
【請求項１】
吊り足場パネルに縦向きに取り付けて使用する親綱張設用の親綱支柱において、
吊り足場パネルの足場板とその横のフレームパイプの上方に跨がせることのできるベースプレートと、先端側に親綱係止用のフックを備えた柱材と、吊り足場パネルのフレームパイプを保持するクランプと、吊り足場パネルの足場板の裏側に係止する係止部を備え、
前記柱材はその根元側がベースプレートに取り付けられ、
前記クランプ及び係止部はベースプレートに設けられ、
前記係止部を足場板の裏側に差し込み、クランプでフレームパイプを保持すると、ベースプレートが吊り足場パネルに固定され、前記柱材が足場パネルの上方に立ち上がり、当該柱材の先端側に設けられたフックに親綱を係止することができる、
ことを特徴とする親綱支柱。
【請求項２】
請求項１記載の親綱支柱において、
係止部がベースプレートに固定され、当該係止部とベースプレートに補強材が固定されて前記係止部が補強された、
ことを特徴とする親綱支柱。
【請求項３】
請求項１又は請求項２記載の親綱支柱において、
係止部は係止面と固定面を備え、
前記係止面と固定面とベースプレートとで差込口が形成され、
前記差込口は、係止部を吊り足場パネルの足場板の側方から吊り足場パネルの足場板の側方端部に被せて係止できるようにクランプと反対向きに開口された、
ことを特徴とする親綱支柱。
【請求項４】
請求項１から請求項３のいずれか１項に記載の親綱支柱において、
クランプが固定部と当該固定部の開口部を開閉可能な開閉片を備え、
前記クランプは、ベースプレートのうち、係止部を吊り足場パネルの足場板の裏側に係止したときに当該足場板の外側に位置する箇所に取り付けられ、
前記クランプは、当該クランプの開口部が前記係止部と反対側を向くように取り付けられた、
ことを特徴とする親綱支柱。
【請求項５】
請求項１から請求項４のいずれか１項に記載の親綱支柱において、
二以上のクランプが一列に配列して設けられ、吊り足場パネルのフレームパイプの軸方向二箇所以上に連結可能である、
ことを特徴とする親綱支柱。
【請求項６】
請求項１から請求項５のいずれか１項に記載の親綱支柱において、
フックはその周方向に親綱を出し入れ可能な出し入れ口を備えたリング状である、
ことを特徴とする親綱支柱。
【請求項７】
請求項６記載の親綱支柱において、
フックが親綱を張る方向に二以上設けられ、
前記二以上のフックは出し入れ口が異なる方向を向くように設けられた、
ことを特徴とする親綱支柱。
【発明の詳細な説明】
【技術分野】
【０００１】
本発明は、安全帯を繋ぐ親綱を張設するのに使用する親綱支柱に関し、特に、吊り足場パネルに取り付けて使用するのに適するものである。
【背景技術】
【０００２】
高所での工事には多数枚の吊り足場パネルを連結した吊り足場が使用される。吊り足場パネルとして、本件出願人が先に特許権を取得したもの（特許文献１）がある。この吊り足場パネルＡは、図６に示すように、二本の細長材Ｂと二本の連結パイプ（フレームパイプ）Ｃと補強材Ｄを備えた周枠上面に、長方形の足場板（例えば、金属平板、コンパネ材、エキスパンドメタル、又はその他の足場板）Ｅが配置固定されたものである。長手方向両端側の補強材ＤとフレームパイプＣとの間には隙間Ｆがあり、それら補強材ＤとフレームパイプＣの間に両者をつなぐ係止材Ｇが設けられている。この吊り足場パネルＡは図７に示すように、高架道路や鉄橋等の架台Ｈから吊り下げられた吊りチェーンＩに係止されて吊り下げられて縦横に連結することによって吊り足場を形成することができる。
【０００３】
吊り足場上での作業は転落の危険を伴うため、作業者は自身の腰に取り付けた安全帯を親綱に繋いで作業をしている。しかし、吊り足場の組み立て時や解体時、建地の設置時や取り外し時には妻側が開口しており、親綱を取り付けるのに適した支柱がないため、従来は、前記吊りチェーンＩに安全帯を繋いで安全を確保していた。
【０００４】
このような状況の下、近年は、クランプ金具でＩ形鋼の上フランジを固定するもの（特許文献２）や、Ｈ形鋼の上フランジ上に被せて固定するもの（特許文献３）、上下の保持具で建地を保持して固定するもの（特許文献４）など、各種親綱支柱（スタンション）が提案されている。
【先行技術文献】
【特許文献】
【０００５】
【特許文献１】特許第２６４７８０１号公報
【特許文献２】特開２０１１−２４７０８８号公報
【特許文献３】特開２０１１−１９６０３６号公報
【特許文献４】特開２００６−３３６２６７号公報
【発明の概要】
【発明が解決しようとする課題】
【０００６】
前記特許文献２又は３記載の親綱支柱は、Ｉ形鋼或いはＨ形鋼の上フランジに固定するものであるため、特許文献１記載の吊り足場には適さない。前記特許文献４記載の親綱支柱は建地に固定するものであるため、建地を設置するまでは使用することができない。
【０００７】
本発明の解決課題は、吊り足場パネルに手軽に、しかも確実、安全に取り付け可能な親綱支柱を提供することにある。
【課題を解決するための手段】
【０００８】
本発明の親綱支柱は、吊り足場パネルに縦向きに取り付けて使用する親綱張設用の親綱支柱において、吊り足場パネルの足場板とその横のフレームパイプの上方に跨がせることのできるベースプレートと、先端側に親綱係止用のフックを備えた柱材と、吊り足場パネルのフレームパイプを保持するクランプと、吊り足場パネルの足場板の裏側に係止する係止部を備えたものである。柱材はその根元側がベースプレートに取り付けられ、クランプ及び係止部はベースプレートに設けられている。係止部を足場板の裏側に差し込み、クランプでフレームパイプを保持すると、ベースプレートが吊り足場パネルに固定され、柱材が吊り足場パネルよりも上方に立ち上がり、柱材の先端側に設けられたフックに親綱を係止することができるようにしてある。
【０００９】
前記親綱支柱では、係止部をベースプレートに固定し、当該係止部とベースプレートに補強材を固定して前記係止部を補強することもできる。係止部を、係止面と固定面を備えたものとし、前記係止面と固定面とベースプレートとで差込口を形成し、その差込口を、係止部を吊り足場パネルの足場板の側方から吊り足場パネルの足場板の側方端部に被せて係止できるようにクランプと反対向きに開口したものとすることもできる。クランプは、固定部と当該固定部の開口部を開閉可能な開閉片を備えたものとすることができる。この場合、クランプは、ベースプレートのうち、係止部を吊り足場パネルの足場板の裏側に係止したときに当該足場板の外側に位置する箇所に、当該クランプの開口部が前記係止部と反対側を向くように取り付けることができる。
【００１０】
クランプは二以上を一列に配列して、吊り足場パネルのフレームパイプの軸方向二箇所以上に連結できるようにしてもよい。
【００１１】
フックはリング状であり、その周方向に親綱を出し入れ可能な出し入れ口を開口することができる。フックは親綱を張る方向に二以上設けることもできる。この場合、二以上のフックは出し入れ口を異なる方向、例えば逆向きに設置するのが望ましい。
【発明の効果】
【００１２】
本発明の親綱支柱は、次の効果を奏する。
（１）係止部を吊り足場パネルの足場板の裏側に係止し、クランプで吊り足場パネルのフレームパイプを保持するので、吊り足場パネルへのベースプレートの取り付けが安定する。また、柱材に外力が作用しても親綱支柱は倒れにくい。
（２）親綱支柱を吊り足場パネルに取り付けることにより、親綱支柱の柱材が吊り足場パネルの足場板よりも上方に立ち上がるので、それら柱材に親綱を張設して、その親綱に安全帯を繋ぐことができるので、作業の安全性が確保される。
（３）係止部に補強材を連結した場合、柱材に外力が作用して係止部に大きな負荷がかかっても係止部が破損し難く、親綱支柱の倒れを防止できる。
（４）係止部の差込口を設けた場合は、係止部をその差込口から、吊り足場パネルの足場板の側方端部に被せて係止できるので、吊り足場パネルへの係止部の係止が容易である。
（５）クランプを係止部よりも外側に設けて、その開閉片を外側にした場合、開閉片の開閉操作が容易にでき、フレームパイプに連結し易くなる。
（６）二以上のクランプを一列に配列すれば、吊り足場パネルのフレームパイプの軸方向二箇所以上に連結できるので、フレームパイプの保持が確実になる。
（７）柱材の先端側のフックがリング状の場合、その周方向に親綱を出し入れ可能な出し入れ口を開口しておけば、フックに親綱を通し易くなる。
（８）二以上のフックを設けた場合、親綱が一のフックから外れても他のフックに係止されていれば、親綱が外れることはないため安全である。
（９）二以上のフックの出し入れ口を異なる方向、好ましくは逆向きに設置すれば、フックに通した親綱が抜けにくくなり、安全が確保される。
【図面の簡単な説明】
【００１３】
【図１】（ａ）は本発明の親綱支柱の一例を示す斜視図、（ｂ）は（ａ）の側面図。
【図２】（ａ）は柱材をベースプレートの中央付近に立設した場合の一例を示す側面図、（ｂ）は柱材をベースプレートの外側寄りに立設した場合の一例を示す側面図。
【図３】（ａ）はクランプを外側向きにした場合の一例を示す側面図、（ｂ）は二つのクランプを異なる向きに設けた場合の一例を示す斜視図。
【図４】（ａ）〜（ｃ）は本発明の親綱支柱の使用例を示す側面図。
【図５】吊り足場パネルに取り付けた親綱支柱に親綱を張設した状態を示す斜視図。
【図６】吊り足場パネルの一例を示す斜視説明図。
【図７】図６に示す吊り足場パネルを組み立てた状態を示す斜視説明図。
【発明を実施するための形態】
【００１４】
（実施形態）
本発明の親綱支柱１の一例を、図面を参照して説明する。本発明の親綱支柱１は、足場板とフレームパイプを備えた各種吊り足場パネルに取り付けて使用可能なものであるが、ここでは、吊り足場パネルＡが、図６に示すような二本の細長材Ｂと二本のフレームパイプＣと補強材Ｄを備えた周枠上面に足場板Ｅが配置固定されたものである場合を一例として説明する。
【００１５】
［親綱支柱の概要］
一例として図１（ａ）（ｂ）に示す親綱支柱１は、ベースプレート２と柱材３とクランプ４と係止部５を備えたものである。柱材３はベースプレート２の上面２ａ側に、クランプ４と係止部５はベースプレート２の裏面２ｂ側に設けられている。図４（ｃ）のように、係止部５を吊り足場パネルＡの足場板Ｅの裏側に係止し、クランプ４でフレームパイプＣを保持すると、ベースプレート２の上面２ａ側に立設された柱材３が吊り足場パネルＡの足場板Ｅよりも上方に突出し、その柱材３の先端側に設けられたフック６（図１（ａ）（ａ））に親綱Ｒ（図５）を係止することができる。
【００１６】
［ベースプレート］
前記ベースプレート２は、平面視長方形状のフラット板であり、本発明の親綱支柱１を図４（ｃ）のように吊り足場パネルＡに取り付けた際に、吊り足場パネルＡの足場板Ｅとその横のフレームパイプＣの上方に跨がせることのできるものである。
【００１７】
［柱材］
前記柱材３は細長の角パイプである。この柱材３は、根元側がベースプレート２の上面２ａに溶接によって固定されている。柱材３の上端側は金属製の上面材３ａで閉塞され、その上面材３ａに親綱Ｒ（図５）を係止するための二つのフック６が設けられている。図１（ａ）（ｂ）に示す例では、柱材３をベースプレート２の上面２ａであって、その長手方向一端側（以下「内側」という）に寄せて設けてあるが、柱材３は図２（ａ）のようにベースプレート２の中央付近や、図２（ｂ）のようにベースプレートの長手方向他端側（以下「外側」という）に寄せて立設することもできる。
【００１８】
図１（ａ）（ｂ）に示すフック６は、一部に親綱Ｒ（図５）を出し入れするための出し入れ口６ａを備えたリング状であり、溶接によって柱材３の上面材３ａに固定されている。二つのフック６は、それぞれの出し入れ口６ａが異なる方向（図示した例では逆方向）を向くようにしてある。フック６を異なる向きに固定することによって、フック６に係止する親綱Ｒ（図５）が抜けにくくなる。
【００１９】
［クランプ］
前記クランプ４はフレームパイプＣ（図６）を保持するものであり、既存の単クランプ（パイプクランプ）を用いることができる。図１（ｂ）に示すクランプ４は、側面視Ｌ字状の固定部４ａにその固定部４ａの開口部４ｂ（図４（ａ））をカバーする開閉片４ｃが回転可能に設けられたものである。固定部４ａの先端には、ナット７（図１（ｂ））が螺合された軸棒８が回転可能に設けられ、当該軸棒８を固定部４ａ側に傾倒した開閉片４ｃの凹陥部（図示しない）に嵌合できるようにしてある。軸棒８を凹陥部に嵌合させた状態でナット７を締結すると、固定部４ａと開閉片４ｃの間に配置されたフレームパイプＣを保持することができ、ナット７を緩めて軸棒８を開閉片４ｃの凹陥部から外すことによってフレームパイプＣを解放することができる。
【００２０】
図１（ａ）（ｂ）に示すように、この実施形態では、二つのクランプ４を固定部４ａの開口部４ｂ（図４（ａ）（ｂ））側が内側を向くように固定してあるが、図３（ａ）のように、固定部４ａの開口部４ｂ側が外側を向くように固定することもできる。また、二つのクランプ４は、双方を同じ向き（双方とも内側向き或いは双方とも外側向き）とすることもできるが、図３（ｂ）のように、一方を外側向きとして他方を内側向きとすることもできる。
【００２１】
図１〜図４に示す実施形態では二つのクランプ４を横並びで固定した場合を一例としているが、クランプ４は一つでも三つ以上であってもよい。クランプ４を三つ以上設けるときは、すべてを同じ向きとすることもできるし、いずれかを異なる向きとすることもできる。
【００２２】
［係止部］
前記係止部５は、吊り足場パネルＡ（図６）の足場板Ｅの裏側に係止して、柱材３に外力（例えば、図１（ａ）（ｂ）の矢印方向への力）が働いたときに柱材３が倒れるのを防止可能なものである。一例として図１（ａ）（ｂ）に示す係止部５は、吊り足場パネルＡの足場板Ｅの裏側に係止する係止面５ａと、ベースプレート２の裏面２ｂ側に固定する固定面５ｂを備えた側面視Ｌ字状の部材（Ｌ型アングル）である。係止部５は、係止面５ａが吊り足場パネルＡの足場板Ｅやベースプレート２と平行になるように、固定面５ｂの上端部５ｃをベースプレート２の裏面２ｂに固定してある。係止部５は溶接により固定することができる。
【００２３】
係止部５の設置位置は、クランプ４との関係で相対的に決定する。具体的には、クランプ４で吊り足場パネルＡのフレームパイプＣを保持したときに、当該吊り足場パネルＡの裏側に係止部５の係止面５ａが対向して係止される位置に設置する。また、係止部５は、その係止面５ａ、固定面５ｂ及びベースプレート２とで形成される差込口９が内側向きとなるようにベースプレート２に固定し、吊り足場パネルＡが係止面５ａとベースプレート２の間に挟み込まれるようにする。
【００２４】
［補強材］
前記係止部５の固定面５ｂの外側には係止部５を補強するための補強材１０が設けられている。一例として図２（ａ）（ｂ）に示す補強材１０は側面視台形状の平板であり、上面１０ａ側がベースプレート２の裏面２ｂに、係止部５側の側面１０ｂが当該係止部５の固定面５ｂの外側に固定されている。補強材１０は溶接によって固定してある。この実施形態では、二枚の補強材１０を間隔をあけて固定した場合を一例としているが、補強材１０は一枚とすることも三枚以上とすることもできる。また、その形状は台形状に限らず、三角形や四角形といった他の形状とすることもできる。強度の向上を図る必要がある場合には鋼製ブロックなどを用いることもできる。
【００２５】
（使用例）
本発明の親綱支柱１の使用例を、図面を参照して説明する。この使用例は、図１（ａ）（ｂ）に示す親綱支柱１を、図７のように連結された吊り足場パネルＡに取り付ける場合の例である。
（１）図４（ａ）に示すように、親綱支柱１を斜めにした状態で吊り足場パネルＡのフレームパイプＣと足場板Ｅの間の隙間Ｆにクランプ４の開閉片４ｃと係止部５を通過させる。
（２）前記（１）の要領でクランプ４の開閉片４ｃと係止部５を通過させたのち、図４（ｂ）に示すように、当該係止部５の係止面５ａを吊り足場パネルＡの足場板Ｅの裏側に係止する。
（３）前記（２）で係止部５の係止面５ａを吊り足場パネルＡの足場板Ｅの裏側に係止したのち、クランプ４で吊り足場パネルＡのフレームパイプＣを保持する。
（４）図５に示すように、前記（１）〜（３）の要領で複数本の親綱支柱１を吊り足場パネルＡに取り付け、それら複数本の親綱支柱１のフック６に親綱Ｒを係止して親綱Ｒを張設する。
（５）吊り足場パネルＡの上で作業を行う作業者は、図５のように張設された親綱Ｒに自身に取り付けた安全帯を繋ぎ、安全を確保した状態で作業を行う。
【産業上の利用可能性】
【００２６】
本発明の親綱支柱１は、本件出願人が先に特許権を取得した吊り足場パネルＡに取り付ける親綱支柱１として特に好適に用いることができるが、本発明の親綱支柱１は、係止部を係止可能な部分とフレームパイプで保持可能なパイプを備えた吊り足場パネルであれば、これ以外のものにも取り付けることができる。
【符号の説明】
【００２７】
１      親綱支柱
２      ベースプレート
２ａ    （ベースプレートの）上面
２ｂ    （ベースプレートの）裏面
３      柱材
３ａ    （柱材の）上面材
４      クランプ
４ａ    固定部
４ｂ    開口部
４ｃ    開閉片
５      係止部
５ａ    係止面
５ｂ    固定面
５ｃ    （固定面の）上端部
６      フック
６ａ    （フックの）出し入れ口
７      ナット
８      軸棒
９      差込口
１０    補強材
１０ａ  （補強材の）上面
１０ｂ  （補強材の）係止部側の側面
Ａ      吊り足場パネル
Ｂ      細長材
Ｃ      連結パイプ（フレームパイプ）
Ｄ      補強材
Ｅ      足場板
Ｆ      隙間
Ｇ      係止材
Ｈ      架台
Ｉ      吊りチェーン
Ｒ      親綱
【要約】
【課題】  足場板と連結パイプを備えた吊り足場に取り付けて使用可能な親綱支柱を提供する。
【解決手段】  本発明の親綱支柱は、吊り足場パネルの足場板とその横の連結パイプの上方に跨がせることのできるベースプレートと、先端側に親綱係止用のフックを備えた柱材と、吊り足場パネルの連結パイプを保持するクランプと、吊り足場パネルの足場板の裏側に係止する係止部を備えたものである。柱材は根元側がベースプレートに取り付けられ、クランプ及び係止部はベースプレートの裏側に設けられている。係止部を足場板の裏側に差し込み、クランプで連結パイプを保持すると、ベースプレートが吊り足場パネルに固定され、柱材が吊り足場パネルの足場板よりも上方に立ち上がり、柱材の先端側に設けられたフックに親綱を係止することができる。
【選択図】図１【図１】
0005654710.tif 000002
【図２】
0005654710.tif 000003
【図３】
0005654710.tif 000004
【図４】
0005654710.tif 000005
【図５】
0005654710.tif 000006
【図６】
0005654710.tif 000007
【図７】
0005654710.tif 000008